(57)【要約】【課題】画像書き込みモード、強制点灯モード、及び強制消灯モードの切替えを、画像データの伝送路を長くすることなく実現し、不要輻射波の発生が抑制された画像書込み装置を提供する。【解決手段】出力制御装置３６内にモード切替え手段６０を設けると共に、機械制御ユニット１０１を介さずにコントローラユニット１００から出力制御装置３６のモード切替え手段６０に画像データを直接入力するため、画像データの伝送路を最短の長さとすることができ、伝送路からの不要輻射波の発生を抑制することができる。【選択図】図３
2006205502.tif 000002
【特許請求の範囲】
【請求項１】
光源から出力された光ビームで感光体上に画像を書き込む画像書き込み装置であって、
画像データを生成する画像データ生成手段と、
前記光源の出力モードを、感光体上に画像を書き込む画像書込みモード、強制消灯モード及び強制点灯モードの何れか１つに切替えるモード切替え信号を生成する信号生成手段と、
前記光源、前記画像データ生成手段、及び前記信号生成手段の各々に接続され、前記信号生成手段から入力されたモード切替え信号に応じて前記光源の出力モードを切り替え、前記画像書込みモードの場合は前記画像データ生成手段から入力された画像データに基づいて前記光源を点灯又は消灯し、前記強制消灯モードの場合は前記光源を消灯し、前記強制点灯モードの場合は前記光源を点灯するように、前記光源の出力を制御する出力制御手段と、
を含むことを特徴とする画像書き込み装置。
【請求項２】
前記出力制御手段は、前記強制消灯モードの場合は、前記画像データ生成手段から入力された画像データに拘らず前記光源を消灯するように前記光源の出力を制御する請求項１記載の画像書き込み装置。
【請求項３】
前記出力制御手段は、前記強制点灯モードの場合は、前記画像データ生成手段から入力された画像データに拘らず前記光源を点灯するように前記光源の出力を制御する請求項１記載の画像書き込み装置。
【請求項４】
前記出力制御手段は、前記信号生成手段から入力されたモード切替え信号に応じて前記光源の出力モードを切り替えるモード切替え手段と、前記光源の光量を所定の出力に制御する光量制御手段とで構成されている請求項１乃至３のいずれか１項に記載の画像書き込み装置。
【請求項５】
前記モード切替え手段は、前記画像書込みモードの場合に入力された画像データを出力すると共に、前記強制点灯モードの場合に連続してハイレベルになる信号を出力する第１の回路と、該第１の回路の出力を通過させると共に前記強制消灯モードの場合に前記第１の回路の出力を遮断する第２の回路とで構成された請求項１乃至４のいずれか１項に記載の画像書き込み装置。
【請求項６】
前記画像データ生成手段から前記出力制御手段に、前記画像データを差動データ伝送方式で伝送する請求項１乃至５のいずれか１項に記載の画像書き込み装置。
【請求項７】
前記光源が複数の光ビームを出力する光源であり、前記出力制御手段は前記光ビーム毎に前記光源の出力を制御する請求項１乃至６のいずれか１項に記載の画像書き込み装置。
【発明の詳細な説明】
【技術分野】
【０００１】
本発明は、画像書込み装置に係り、特に、光ビームの強制点灯・強制消灯のモードを備えた画像書込み装置に関する。
【背景技術】
【０００２】
レーザダイオード（ＬＤ）等のレーザ光源から照射される光ビームを、画像データに応じて制御して、像担持体としての感光体ドラムを回転させながら、光ビームをポリゴンミラー等の走査手段を介して主走査を繰り返すことで、感光体ドラムに静電潜像を形成して画像の記録を行う画像形成装置は、高画質の画像を高速で得ることができるため、複写機やレーザプリンタに広く用いられている。
【０００３】
上記の画像形成装置では、通常の画像データの書込みに際し、画像の一部を強制的に消し込むことがある。例えば、図９に示すように、用紙の大きさより画像書き込みエリアが大きいと、トナーが用紙に転写されず感光体上に残存し、機内汚れの原因となる。このため、画像形成装置には、用紙のサイドエッジ部分で強制的にＬＤを消灯させる「サイド消し込みモード」や、用紙の後端部分で強制的にＬＤを消灯させる「後端消し込みモード」が設けられている。また、上記の画像形成装置には、プリント開始前に感光体をクリーニングする目的で、強制的にＬＤを点灯させる「前露光モード」が設けられている。
【０００４】
従来、ホストコンピュータから受け取った指示に従い、コントローラユニットが印刷する画像データを生成すると、コントローラユニットが画像データをプリンタや複写機の動作を制御する機械制御ユニットに入力し、機械制御ユニットが入力された画像データを画像書き出しタイミング信号に合わせて光走査装置に出力していた。
【０００５】
また、機械制御ユニットでは、画像を形成するモード、自動光量制御（ＡＰＣ）を行なうモード、消込モードに応じて所定のタイミングでＬＤを強制消灯させるモード、及び前露光のタイミングでＬＤを強制点灯させるモードの切替えを行なっていた。
【０００６】
上記のような動作モードの切替えを、機械制御ユニットにおいて行うのは一般的であり、例えば、入力データを切替える方法として、製品プログラムモードとチェックプログラムモードに遷移する制御手段を設けることが提案されている（特許文献１参照）。
【特許文献１】特開平６−１５９２３号公報
【発明の開示】
【発明が解決しようとする課題】
【０００７】
しかしながら、コントローラユニットからの画像データを機械制御ユニットに入力し、書き出しタイミング処理後に光出力装置に出力したのでは、高速伝送が必要な画像データの伝送路を長く引き回すことになり、伝送路から漏洩する電磁波（不要輻射波）が増加する、という問題がある。特に近年、高速化、高解像度化に伴い、画像データ伝送速度が速くなり不要輻射の影響が出やすい状況にある。
【０００８】
本発明は上記問題を解決するために成されたものであり、本発明の目的は、画像書き込みモード、強制点灯モード、及び強制消灯モードの切替えを、画像データの伝送路を長くすることなく実現し、不要輻射波の発生が抑制された画像書込み装置を提供することにある。
【課題を解決するための手段】
【０００９】
上記目的を達成するために本発明の画像書き込み装置は、光源から出力された光ビームで感光体上に画像を書き込む画像書き込み装置であって、画像データを生成する画像データ生成手段と、前記光源の出力モードを、感光体上に画像を書き込む画像書込みモード、強制消灯モード及び強制点灯モードの何れか１つに切替えるモード切替え信号を生成する信号生成手段と、前記画像データ生成手段及び前記信号生成手段の各々に接続され、前記信号生成手段から入力されたモード切替え信号に応じてモードを切り替え、前記画像書込みモードの場合は前記画像データ生成手段から入力された画像データに基づいて前記光源を点灯又は消灯し、前記強制消灯モードの場合は前記光源を消灯し、前記強制点灯モードの場合は前記光源を点灯するように、前記光源の出力を制御する出力制御手段と、を含んで構成したことを特徴とする。
【００１０】
本発明の画像書き込み装置では、画像データ生成手段により画像データが生成される。また、信号生成手段により、光源の出力モードを、感光体上に画像を書き込む画像書込みモード、強制消灯モード及び強制点灯モードの何れか１つに切替えるモード切替え信号が生成される。画像データ生成手段及び信号生成手段の各々に接続された出力制御手段では、信号生成手段から入力されたモード切替え信号に応じてモードを切り替え、画像書込みモードの場合は画像データ生成手段から入力された画像データに基づいて光源を点灯又は消灯し、強制消灯モードの場合は光源を消灯し、強制点灯モードの場合は光源を点灯するように、光源の出力を制御する。そして、光源から出力された光ビームで感光体上に画像が書き込まれる。
【００１１】
この通り、本発明の画像書き込み装置では、信号生成手段を経由せずに、画像データ生成手段から出力制御手段に画像データが直接入力されるため、画像データの伝送路が短くなる。従って、従来の画像形成装置に比べて、伝送路からの不要輻射波の発生が抑制される。また、出力制御手段においてモード切替えを行うため、画像データ生成手段において画像データとモード切替え信号とを合成する必要がなく、画像データの処理が簡単になる。
【発明の効果】
【００１２】
以上説明したように本発明によれば、高速伝送が必要な画像データの伝送路の配線を短くすることが可能で、不要輻射波の発生を抑制することができる、という効果がある。
【発明を実施するための最良の形態】
【００１３】
以下、図面を参照して、本発明の実施の形態について詳細に説明する。
（画像形成装置の概略構成）
図１は、本実施の形態に係る画像形成装置の概略構成図である。
【００１４】
図１に示すように、画像形成装置１０は、筐体３２内に画像形成部６８を収納して構成されている。画像形成部６８は、矢印Ａ方向に定速回転する円筒状の感光体ドラム１２、画像データに基づいて光ビームを出力する光出力装置３４、及び画像を定着する定着器２４等を含んで構成されている。光出力装置３４は、レーザダイオード（ＬＤ）３０とＬＤ３０から射出された光ビームを反射して感光体ドラム１２に照射する回転多面鏡２８とを含む光走査装置２６、及びＬＤ３０を駆動制御する出力制御装置３６から構成されている。
【００１５】
感光体ドラム１２の周面近傍には、感光体ドラム１２を帯電させる帯電器１４が配設されている。帯電器１４により一様に帯電された感光体ドラム１２が、矢印Ａ方向に回転することによって光出力装置３４から光ビームが照射され、感光体ドラム１２上に潜像が形成される。
【００１６】
また、光出力装置３４による光ビームの照射位置よりも感光体ドラム１２の回転方向下流側には、感光体ドラム１２の周面に対向して、感光体ドラム１２にトナーを供給する現像器１６が配設されている。現像器１６から供給されたトナーは、光が照射された部分（潜像部分）に付着する。これにより感光体ドラム１２上にトナー像が形成される。
【００１７】
現像器１６の配設位置よりも感光体ドラム１２の回転方向下流側には、感光体ドラム１２の周面に対向して、転写用帯電体２０が配設されている。転写用帯電体２０は、感光体ドラム１２に形成されたトナー像を用紙１８に静電転写する。
【００１８】
転写用帯電体２０の配設位置よりも感光体ドラム１２の回転方向下流側には、感光体ドラム１２に対向して、クリーナー２２が配設されている。クリーナー２２により、転写後に感光体ドラム１２の表面に残留しているトナーが除去される。
【００１９】
トナー像が転写された用紙１８は、矢印Ｃ方向に搬送される。感光体ドラム１２よりも用紙１８の搬送方向下流側には、加圧ローラ４１と加熱ローラ４３とを含んで構成された定着器２４が配設されている。定着器２４では、搬送されてきた用紙１８を加熱及び加圧し、用紙１８上に転写されたトナー像を融解固定する。すなわち、定着器２４では所謂定着処理が施され、用紙１８上に所定の画像が形成される。
【００２０】
画像形成装置１０の下部には、用紙トレイ３６が配設されている。用紙トレイ３６には、所望サイズの用紙１８が収納されている。用紙トレイ３６における用紙排出部近傍には半月ローラ３８Ａが配設されている。半月ローラ３８Ａは、用紙トレイ３６に供給された用紙１８を上層から順に１枚ずつ送り出す。用紙トレイ３６から送り出された用紙１８は、複数の搬送ローラ対４０によって、感光体ドラム１２と転写用帯電体２０との間に向けて搬送される。
【００２１】
画像形成装置１０の一方の側面（図１の右側面）には、必要に応じて用紙１８を手差しで挿入する手差しトレイ４２が配設されている。手差しトレイ４２における用紙排出部近傍には、前述した用紙トレイ３６と同様に半月ローラ３８Ｂが配設されており、用紙１８を上層から一枚ずつ送り出すことができるようになっている。また、画像形成装置１０の他方の側面（図１の左側面）には、所望の画像が形成された用紙１８が排出される排出トレイ４５が設けられている。
【００２２】
（光走査装置の概略構成）
図２は、光走査装置の概略構成図である。
【００２３】
図２に示すように、ＬＤ３０から照射された光ビームの進行方向下流側には、コリメータレンズ４４が配置されている。ＬＤ３０から射出された光ビームは、コリメータレンズ４４により拡散光線から平行光線に変換される。コリメータレンズ４４で平行光線に変換された光ビームは、シリンダレンズ４６を介して回転多面鏡（ポリゴンミラー）２８に入射される。
【００２４】
回転多面鏡２８は、側面に複数の反射面２８Ａが設けられた正多角形状（本実施の形態では正六角形）に形成されており、入射された光ビームはこの反射面２８Ａに収束するようになっている。また、回転多面鏡２８は、回転軸４８を中心に矢印Ｄ方向に回転する。すなわち、各反射面２８Ａへの光ビームの入射角は、連続的に変化し、偏向される。これにより、感光体ドラム１２の軸線方向に光ビームが走査される。
【００２５】
回転多面鏡２８により反射された光ビームの進行方向には、第１レンズ５０Ａと第２レンズ５０Ｂとで構成されたｆθレンズ５０が配置されている。このｆθレンズ５０により、走査速度が等速度になると共に、光ビームが感光体ドラム１２の周面上に結像点を結ぶ。ｆθレンズ５０を透過した光ビームは、反射ミラー５２により屈曲されて感光体ドラム１２に照射される。光ビームの進行方向で感光体ドラム１２の最左端方向には、ミラー５３が配置されている。ミラー５３により感光体ドラム１２の最左端方向に進行する光ビームが反射される。
【００２６】
ミラー５３による光ビームの反射方向には、フォトディテクタ５４が配置されている。フォトディテクタ５４には、光ビームが感光体ドラム１２をその軸線方向に走査するごとに、感光体ドラム１２の最左端方向に進行する光ビームが入射される。これにより、フォトディテクタ５４では、走査ライン毎の照射開始タイミングを検知することができる。
【００２７】
（制御系の構成）
図３は、本実施の形態に係る画像形成装置の制御系の構成を示すブロック図である。上述した出力制御装置３６の詳細構成が機能的なブロックにより示されている。
【００２８】
画像形成装置１０には、画像データを生成するコントローラユニット１００、及び光出力装置３４の動作を制御する機械制御ユニット１０１が設けられている。光出力装置３４のＬＤ３０を駆動制御する出力制御装置３６は、ＬＤ３０の動作モードを切り替えるモード切替え手段６０と、ＬＤ３０の光量を所定の出力に制御する光量制御手段６７とから構成されている。
【００２９】
コントローラユニット１００は、モード切替え手段６０を介して光量制御手段６７に接続されている。また、コントローラユニット１００は、外部のホストコンピュータ１０２に接続されている。コントローラユニット１００は、ホストコンピュータ１０２から指示を受け取ると、画像データを生成する。コントローラユニット１００で生成された画像データはモード切替え手段６０に入力され、モード切替え手段６０から出力された画像データは光量制御手段６７に入力される。光量制御手段６７は、入力された画像データに応じてＬＤ３０の光量が所定の出力となるようにＬＤ３０を駆動する。
【００３０】
このように、機械制御ユニット１０１を介さずに、コントローラユニット１００からモード切替え手段６０に画像データを直接入力するため、画像データの伝送路を最短の長さとすることができ、伝送路からの不要輻射波の発生を抑制することができる。
【００３１】
機械制御ユニット１０１は、モード切替え手段６０と光走査装置２６とに接続されている。機械制御ユニット１０１は、モード切替え手段６０にＬＤ３０の動作モードの切り替えを指示するモード切替え信号を入力すると共に、光走査装置２６に光学系の動作を制御するＲＯＳ制御信号を入力する。また、機械制御ユニット１０１は、モード切替え手段６０に、画像書き出しタイミング信号や自動光量制御タイミング信号等の出力制御信号を入力する。
【００３２】
モード切替え手段６０は、強制的にＬＤ３０を点灯させる機能や、強制的にＬＤ３０を消灯させる機能を有しており、機械制御ユニット１０１から入力されたモード切替え信号に応じて、画像データに基づいてＬＤ３０を駆動する画像書込みモードと、画像データに拘わらず強制的にＬＤ３０を点灯させる強制点灯モード、画像データに拘わらず強制的にＬＤ３０を消灯させる強制消灯モードの切替えを行う。
【００３３】
図４は、モード切替え手段６０の一例を示す回路図である。
【００３４】
図４に示すように、モード切替え手段６０は、オフ状態でＬＤ３０が強制点灯されるように回路を接続するスイッチ７４、オン状態でＬＤ３０が強制消灯されるように回路を接続するスイッチ７６、画像データが入力されるＯＲ回路７０、及びＯＲ回路７０の出力が入力されるＡＮＤ回路７２で構成されている。なお、この回路はＴＴＬレベルの画像データ信号を伝送する場合に用いられる。
【００３５】
モード切替え手段６０には、機械制御ユニット１０１からモード切替え信号が入力される。モード切替え信号により強制点灯モードが選択された場合には、スイッチ７４をオフ状態とする。ＯＲ回路７０の１入力はハイ（Ｈ）レベルに固定されているため、画像データの論理に拘わらず、ＯＲ回路７０の出力はＨレベルとなり、ＡＮＤ回路７２に入力される。ＡＮＤ回路７２の他入力もＨレベルに固定されているため、ＡＮＤ回路７２の出力は常にＨレベルとなり、画像データに拘わらずＬＤ３０は強制的に点灯される。
【００３６】
モード切替え信号により強制消灯モードが選択された場合には、スイッチ７６をオン状態とする。ＡＮＤ回路７２の１入力が常にロー（Ｌ）レベルに固定されているため、ＡＮＤ回路７２の出力は常にＬレベルとなり、画像データに拘わらずＬＤ３０は強制的に消灯される。このとき、スイッチ７４よりスイッチ７６のほうが優先されるため、スイッチ７４がオフ状態であってもＬＤ３０は消灯する。
【００３７】
モード切替え信号により画像書込みモードが選択された場合は、スイッチ７４をオン状態、スイッチ７６をオフ状態にする。コントローラユニット１００から入力された画像データはＯＲ回路７０に入力される。ＯＲ回路７０の他入力がスイッチ７４によりＬレベルに固定されているため、ＯＲ回路７０からは画像データがそのまま出力される。ＯＲ回路７０の出力はＡＮＤ回路７２に入力される。ＡＮＤ回路７２の他入力はスイッチ７６がオフ状態であるため、プルアップ抵抗によりＨレベルに固定されている。従って、ＡＮＤ回路７２に入力された画像データは、そのままＡＮＤ回路７２から光量制御手段６７へ出力される。
【００３８】
（画像形成装置の動作）
次に、図１乃至図３を参照して上記画像形成装置１０の動作について説明する。
【００３９】
画像形成装置１０は、機械制御ユニット６２から画像の形成が指示されると感光体ドラム１２が帯電器１４によって一様に帯電され、コントローラユニット６１にて生成された画像データはモード切替え手段６０を通り、光量制御装置６７で所定の光量に制御された後、光走査装置２６から用紙１８に形成するべき画像に対応して光ビームとして照射される。これにより、感光体ドラム１２上には潜像が形成される。
【００４０】
感光体ドラム１２上に形成された潜像は、現像器１６によりトナーが供給されて現像される。現像されたトナー像は転写用帯電体２０によって用紙１８に転写される。トナー像が転写された用紙１８は定着器２４によって定着処理が施され画像が形成され、排出トレイ６６に排出される。
【００４１】
以上説明した通り、本実施の形態に係る画像形成装置では、出力制御装置内にモード切替え手段を設けると共に、機械制御ユニットを介さずにコントローラユニットから出力制御装置のモード切替え手段に画像データを直接入力するため、画像データの伝送路を最短の長さとすることができ、伝送路からの不要輻射波の発生を抑制することができる。
【００４２】
以下、本実施の形態に係る画像形成装置の利点を従来例と比較して説明する。
【００４３】
図５は、従来の画像形成装置の制御系の概略構成を示すブロック図である。この装置では、コントローラユニット１００から出力された画像データは、機械制御ユニット１０１に入力される。機械制御ユニット１０１では、モードの切替えを行い、画像書き込みモードでは画像データをＲＯＳ制御信号とともに出力制御装置３６に出力する。この方式は機械制御ユニット１０１で強制点灯・消灯のタイミング信号を生成しているため、画像データとタイミング信号との合成が同一ユニット内で実施できコスト的に有利であった。
【００４４】
しかしながら、機械制御ユニット１０１を経由して、コントローラユニット１００から出力制御装置３６に画像データを入力するため、各ユニットの接続部から不要輻射が発生するとともに、機械制御ユニット１０１内のデバイス間の配線に伴い画像データの伝送路が長くなり、この伝送路がアンテナの役割を果たして、不要輻射波が発生するという問題が発生した。従来は、画像データの伝送速度がそれほど速くなく、不要輻射レベルを規制値内にすることが可能であったが、画像データの伝送速度が速くなるに従い、不要輻射レベルを低く抑えることが困難になった。
【００４５】
図６は、別の従来例の制御系の概略構成を示すブロック図である。この例では、機械制御ユニット１０１から出力されたモード切替え信号は、コントローラユニット１００に入力される。コントローラユニット１００では、画像データとモード切替え信号（強制点灯信号・強制消灯信号）とを合成し、合成された信号を出力制御装置３６に出力する。このように、コントローラユニット１００で信号合成処理を行ったのでは、コントローラユニット１００の回路が複雑となり、専用のコントローラユニットが必要となる。
【００４６】
一般にコントローラユニットを交換して、所望の画作りを行なうことが多々あり、コントローラユニットには特別な制御を行わせないことが望ましい。従って、この接続方法では、専用のコントローラユニットが必要となり、自由な画作りができないという問題があった。
【００４７】
図７は、本実施の形態に係る画像形成装置の制御系の概略構成を示すブロック図である。この装置では、コントローラユニット１００から出力された画像データは、出力制御装置３６に直接入力される。また、機械制御ユニット１０１から出力されたモード切替え信号は、ＲＯＳ制御信号とともに出力制御装置３６に入力される。
【００４８】
このように、機械制御ユニット１０１を経由せずに、コントローラユニット１００から出力制御装置３６に画像データを入力するため、接続部の数が少なくなるとともに、データ伝送専用の接続線により最短接続ルートが可能となるため、画像データの伝送路が短くなる。従って、図５に示した従来の画像形成装置に比べて、伝送路からの不要輻射波の発生が抑制される。一方、図６に示す接続方法とは異なり、コントローラユニット１００においてモード切替えに関する処理を行う必要はないため、図７に示す構成では、コントローラユニットとしての汎用性を残すことができる。
【００４９】
（変形例）
なお、上記実施の形態では、ＴＴＬレベルの画像データ信号を伝送する場合について説明したが、ＬＶＤＳレベルの画像データ信号を伝送する構成とすることも可能である。
【００５０】
図８は、ＬＶＤＳレベルの画像データ信号を伝送する場合のモード切替えユニット６０の１例を示す回路図である。この例ではＬＶＤＳ入力切替え機能を有するクロスポイントデバイスを使用している。
【００５１】
コントローラユニット１００から画像データをＬＶＤＳレベルでモード切替え手段６０に伝送し、クロスポイントデバイス８０のチャンネル１に入力する。入力されたデータはＬＶＤＳレシーバ８１にて検知され、検知された画像データ信号は、クロスポイントデバイス８０内のセレクタ８３、セレクタ８４に入力される。セレクタ８３、セレクタ８４はスプリッタモードに固定されているため、入力された画像データ信号が２分配される。
【００５２】
２分配された画像データの各々はＬＶＤＳトランシーバ８５、８６に入力され、それぞれクロスポイントデバイス８０から出力される。ＬＶＤＳトランシーバ８５、８６の各々は、データの出力・非出力を選択させるイネーブル端子を備えており、機械制御ユニット１０１からのモード切替え信号により、チャンネル１に入力された画像データをクロスポイントデバイス８０から出力するか（画像書込みモード）、当該画像データを遮断するか（強制点消灯モード）を決定する。
【００５３】
モード切替え信号により画像書込みモードが選択された場合は、ＬＶＤＳトランシーバ８５からクロスポイントデバイス９０のＬＶＤＳレシーバ９１に画像データは伝送される。クロスポイントデバイス９０では、機械制御ユニット１０１からの点灯／消灯切替え信号を「消灯」に設定し、ＬＶＤＳレシーバ９１に入力した画像データをＬＶＤＳトランシーバ９５に出力する。
【００５４】
モード切替え信号により強制点消灯モードが選択された場合は、ＬＶＤＳトランシーバ８５を出力したＬＶＤＳデータ伝送線のＤＡＴＡ＋はプルアップ、ＤＡＴＡ−はプルダウン、ＬＶＤＳトランシーバ８６を出力したＬＶＤＳデータ伝送線はＤＡＴＡ＋はプルダウン、ＤＡＴＡ−はプルアップし、クロスポイントデバイス９０のＬＶＤＳレシーバ９１、９２にそれぞれ入力する。入力された画像データはセレクタ９３、９４に入力され、機械制御ユニット１０１からの点灯／消灯切り替え信号により、出力するチャンネルが選択される。
【００５５】
点灯／消灯切替え信号として「点灯」が選択された場合には、ＬＶＤＳレシーバ９２が選択される。一方「消灯」が選択された場合には、ＬＶＤＳレシーバ９１が選択される。クロスポイントデバイス９０では、ＬＶＤＳトランシーバ９５、９６のイネーブル端子は常にイネーブル状態になるようにプルアップされている。
【００５６】
ＬＤを強制点灯させる場合には、クロスポイントデバイス８０に画像制御ユニット１０１からのモード切替え信号により強制点消灯モードを選択して画像データを遮断し、クロスポイントデバイス９０に機械制御ユニット１０１からの点灯／消灯切り替え信号を「点灯」に設定すると、プルアップ、プルダウン抵抗で設定されたＬＤ点灯レベルが出力するため、ＬＤは点灯を続ける。
【００５７】
ＬＤを強制消灯させる場合には、クロスポイントデバイス８０に画像制御ユニット１０１からのモード切替え信号により強制点消灯モードを選択して画像データを遮断し、クロスポイントデバイス９０に機械制御ユニット１０１からの点灯／消灯切り替え信号を「消灯」に設定すると、画像データは遮断され、プルアップ、プルダウン抵抗で設定されたＬＤ消灯レベルが出力するため、ＬＤは消灯を続ける。
【００５８】
また、上記実施の形態では、モード切替え手段は単独で構成する例を示したが、モード切替え手段と光量制御手段とを合わせ１つのデバイスにしてもよい。２ユニットをまとめることで、結線ライン長が短くなり、不要輻射波の低減効果が得られるとともに、省スペース、省電力の効果も得られる。
【図面の簡単な説明】
【００５９】
【図１】本実施の形態に係る画像形成装置の概略構成図である。
【図２】光走査装置の概略構成図である。
【図３】本実施の形態に係る画像形成装置の制御系の構成を示すブロック図である。
【図４】モード切替え手段の一例を示す回路図である。
【図５】従来の画像形成装置の制御系の概略構成を示すブロック図である。
【図６】別の従来例の制御系の概略構成を示すブロック図である。
【図７】本実施の形態に係る画像形成装置の制御系の概略構成を示すブロック図である。
【図８】ＬＶＤＳレベルの画像データ信号を伝送する場合のモード切替えユニットの１例を示す回路図である。
【図９】用紙上の消し込み位置を示す図である。
【符号の説明】
【００６０】
１０  画像形成装置
１２  感光体ドラム
１４  帯電器
１６  現像器
１８  用紙
２０  転写用帯電体
２２  クリーナー
２４  定着器
２６  光走査装置
２８  回転多面鏡
３２  筐体
３４  光出力装置
３６  出力制御装置
３６  用紙トレイ
３８Ａ  半月ローラ
３８Ｂ  半月ローラ
４０  搬送ローラ対
４１  加圧ローラ
４２  トレイ
４３  加熱ローラ
４４  コリメータレンズ
４５  排出トレイ
４６  シリンダレンズ
４８  回転軸
５０Ａ  レンズ
５０Ｂ  レンズ
５０    レンズ
５２    反射ミラー
５３    ミラー
５４    フォトディテクタ
６０    モード切替え手段
６６    排出トレイ
６７    光量制御手段
６８    画像形成部
７０    ＯＲ回路
７２    ＡＮＤ回路
７４    スイッチ
７６    スイッチ
１００  コントローラユニット
１０１  機械制御ユニット
１０２  ホストコンピュータ
【図１】
2006205502.tif 000003
【図２】
2006205502.tif 000004
【図３】
2006205502.tif 000005
【図４】
2006205502.tif 000006
【図５】
2006205502.tif 000007
【図６】
2006205502.tif 000008
【図７】
2006205502.tif 000009
【図８】
2006205502.tif 000010
【図９】
2006205502.tif 000011